(57)【要約】【課題】低コストでＷｅｂページを閲覧することができる携帯端末装置を提供すること。【解決手段】定期的に更新されるＷｅｂページ（プログや掲示板など）を無線ＬＡＮ通信網圏内の場合に予め登録されたものやアクセス頻度の高いものを所定の周期毎に自動的に携帯端末装置にダウンロードし、キャッシュメモリ３０３に保存しておき、無線ＬＡＮ通信網圏外の場合には、キャッシュメモリ３０３に保存されたものを表示するようにする。【選択図】図５
2008252376.tif 000002
【特許請求の範囲】
【請求項１】
第１の通信規格に準拠しインターネットと接続された第１の通信網と接続可能な第１の通信手段と、第２の通信規格に準拠しインターネットと接続された第２の通信網と接続可能な第２の通信手段と、を備えた携帯端末装置において、
前記第１の通信手段が前記第１の通信網の通信圏内にいるか否かを判別する第１の判別手段と、
予め登録されたＷｅｂページのＵＲＬ毎に、優先順位、アクセス回数、最終アクセス日時、自動ダウンロード日時及び自動ダウンロード周期を記憶するキャッシュテーブルと、
前記キャッシュテーブル中のＷｅｂページ毎の最終アクセス日時、自動ダウンロード日時及び自動ダウンロード周期に基づいて、自動ダウンロードすべき状態のＷｅｂページを前記キャッシュテーブルの中から検索するＷｅｂページ検索手段と、
今回ダウンロードされたＷｅｂページが、前回ダウンロードしたＷｅｂページと比べて更新されているか否かを検出する更新検出手段と、
ダウンロードされたＷｅｂページの情報を記憶するキャッシュメモリと、
前記第１の判別手段により前記第１の通信手段が、前記第１の通信網の通信圏内にいると判別された場合、前記第１の通信網を介して前記Ｗｅｂページ検索手段により検索されたＷｅｂページのダウンロードを前記第１の通信手段を用いて行い、前記更新検出手段により更新が確認されたＷｅｂページについて、前記キャッシュメモリの更新を行う第１のＷｅｂページ取得手段と、
前記第１のＷｅｂページ取得手段により前記キャッシュメモリの更新が行われた場合、当該Ｗｅｂページの自動ダウンロード日時の更新を行う第１の自動ダウンロード日時更新手段と、
を備えたことを特徴とする携帯端末装置。
【請求項２】
前記第２の通信手段が前記第２の通信網の通信圏内にいるか否かを判別する第２の判別手段と、
前記第１の判別手段により前記第１の通信手段が、前記第１の通信網の通信圏外にいると判別され、前記第２の判別手段により前記第２の通信手段が、前記第２の通信網の通信圏内にいると判別された場合、予めユーザにより前記第２の通信手段の使用が認められている場合に限り、前記第２の通信網を介して前記Ｗｅｂページ検索手段により検索されたＷｅｂページのダウンロードを前記第２の通信手段を用いて行い、前記更新検出手段により更新が確認されたＷｅｂページについて、前記キャッシュメモリの更新を行う第２のＷｅｂページ取得手段と、
前記第２のＷｅｂページ取得手段により前記キャッシュメモリの更新が行われた場合、当該Ｗｅｂページの自動ダウンロード日時の更新を行う第２の自動ダウンロード日時更新手段と、
を備えたことを特徴とする請求項１に記載の携帯端末装置。
【請求項３】
前記第１又は第２のＷｅｂページ取得手段により前記キャッシュメモリの更新を行う際に、該キャッシュメモリの残容量を検出し、前記キャッシュメモリの更新を行うための容量が不足していないか否かを検出する第１のキャッシュ容量検出手段と、
前記第１のキャッシュ容量検出手段により前記キャッシュメモリの容量が不足していることが検出された場合、前記キャッシュテーブルを参照し、最終アクセス日時が所定時間以上経過しているＷｅｂページを検出し、該Ｗｅｂページのキャッシュ情報及びキャッシュテーブル情報を削除し、前記キャッシュテーブル中に前記最終アクセス日時が所定時間以上経過しているＷｅｂページが検出されなかった場合には、優先順位の最も低いＷｅｂページのキャッシュ情報及びキャッシュテーブル情報を削除する第１のキャッシュ確保手段と、
を備えることを特徴とする請求項１または２に記載の携帯端末装置。
【請求項４】
前記更新検出手段により当該Ｗｅｂページの更新が検出されなかった場合、該Ｗｅｂページの自動ダウンロード周期をΔＴだけ長く再設定するダウンロード周期延長手段と、
前記更新検出手段により当該Ｗｅｂページの更新が検出された場合、ＨＴＴＰのレスポンスヘッダ（Ｌａｓｔ−Ｍｏｄｉｆｉｅｄ）と現在時刻との差を算出し、算出結果が所定時間以上であった場合に、該Ｗｅｂページの自動ダウンロード周期をΔＴだけ短く再設定するダウンロード周期短縮手段と、
を備えることを特徴とする請求項１乃至３のいずれか１項に記載の携帯端末装置。
【請求項５】
前記更新検出手段により当該Ｗｅｂページの更新が検出されなかった場合、該Ｗｅｂページの自動ダウンロード周期をΔＴだけ長く再設定するダウンロード周期延長手段と、
前記更新検出手段により当該Ｗｅｂページの更新が検出された場合、ＨＴＴＰのレスポンスヘッダ（Ｌａｓｔ−Ｍｏｄｉｆｉｅｄ）が存在するか否かを判断し、当該ＨＴＴＰのレスポンスヘッダ（Ｌａｓｔ−Ｍｏｄｉｆｉｅｄ）が存在しない場合、該Ｗｅｂページの自動ダウンロード周期をΔＴだけ短く再設定するダウンロード周期短縮手段と、
を備えることを特徴とする請求項１乃至３のいずれか１項に記載の携帯端末装置。
【請求項６】
ユーザによるＷｅｂページのアクセス要求が有ったことを検出するアクセス検出手段と、
前記アクセス検出手段によりユーザによるＷｅｂページのアクセス要求が検出され、前記第１の判別手段により前記第１の通信手段が、前記第１の通信網の通信圏内にいると判別された場合、前記第１の通信網を介してＷｅｂページのダウンロードを行い、前記更新検出手段により更新が確認されたＷｅｂページについて、前記キャッシュメモリの更新を行う第３のＷｅｂページ取得手段と、
前記第３のＷｅｂページ取得手段により前記キャッシュメモリの更新が行われた場合、前記アクセス回数及び最終アクセス日時の更新を行う第１のアクセス更新手段と、
前記ダウンロードされたＷｅｂページの表示を行う第１のＷｅｂページ表示手段と、
を備えたことを特徴とする請求項２または３に記載の携帯端末装置。
【請求項７】
前記第１の判別手段により前記第１の通信手段が、前記第１の通信網の通信圏外にいると判別され、前記第２の判別手段により前記第２の通信手段が、前記第２の通信網の通信圏内にいると判別された場合、キャッシュされている当該Ｗｅｂページと共に更新を促す画面表示を行う第２のＷｅｂページ表示手段と、
前記第２のＷｅｂページ表示手段により表示された内容に基づいて、ユーザから前記更新の要求が有ったか否かを検出する更新要求検出手段と、
前記更新要求検出手段によりユーザから当該Ｗｅｂページの更新要求が有ったことが検出された場合、前記第２の通信網を介して当該Ｗｅｂページのダウンロードを行い、前記更新検出手段により更新が確認されたＷｅｂページについて、前記キャッシュメモリの更新を行う第４のＷｅｂページ取得手段と、
前記第４のＷｅｂページ取得手段により前記キャッシュメモリの更新が行われた場合、前記アクセス回数及び最終アクセス日時の更新を行う第２のアクセス更新手段と、
を備えたことを特徴とする請求項６に記載の携帯端末装置。
【請求項８】
前記第１の判別手段により前記第１の通信手段が、前記第１の通信網の通信圏外にいると判別され、前記第２の判別手段により前記第２の通信手段が、前記第２の通信網の通信圏外にいると判別された場合、キャッシュされている当該Ｗｅｂページの表示を行う第３のＷｅｂページ表示手段と、
を備えたことを特徴とする請求項６または７に記載の携帯端末装置。
【請求項９】
前記第３又は第４のＷｅｂページ取得手段により前記キャッシュメモリの更新を行う際に、該キャッシュメモリの残容量を検出し、前記キャッシュメモリの更新を行うための容量が不足していないか否かを検出する第２のキャッシュ容量検出手段と、
前記第２のキャッシュ容量検出手段により前記キャッシュメモリの容量が不足していることが検出された場合、前記キャッシュテーブルを参照し、最終アクセス日時が所定時間以上経過しているＷｅｂページを検出し、該Ｗｅｂページのキャッシュ情報及びキャッシュテーブル情報を削除し、前記キャッシュテーブル中に前記最終アクセス日時が所定時間以上経過しているＷｅｂページが検出されなかった場合には、優先順位の最も低いＷｅｂページのキャッシュ情報及びキャッシュテーブル情報を削除する第２のキャッシュ確保手段と、
を備えることを特徴とする請求項６乃至８のいずれか１項に記載の携帯端末装置。
【発明の詳細な説明】
【技術分野】
【０００１】
本発明は、無線ＬＡＮ通信網と移動体通信網との２つのネットワークが使用可能な携帯端末装置におけるＷｅｂページのダウンロード制御に関する。
【背景技術】
【０００２】
従来技術は、ネットワークが利用不可能である場合にキャッシュデータを使用することを特徴とするものである（特許文献１参照）。しかし、現在では移動体通信網と無線ＬＡＮ通信網の両方の通信網と接続可能な機能を有する携帯端末装置が存在する。
【特許文献１】特開２０００−１４８５７２号公報
【発明の開示】
【発明が解決しようとする課題】
【０００３】
しかしながら、従来の携帯端末装置において、Ｗｅｂページのダウンロードを行おうとした場合、移動体通信網は無線ＬＡＮ通信網に比べて低速で且つパケット代のコストが高いという問題がある。
【０００４】
本発明は上記問題に鑑みて成されたもので、低コストでＷｅｂページを閲覧することができる携帯端末装置を提供することを目的とする。
【課題を解決するための手段】
【０００５】
本発明に係る携帯端末装置は、上記課題を解決するために、第１の通信規格に準拠しインターネットと接続された第１の通信網と接続可能な第１の通信手段と、第２の通信規格に準拠しインターネットと接続された第２の通信網と接続可能な第２の通信手段と、を備えた携帯端末装置において、前記第１の通信手段が前記第１の通信網の通信圏内にいるか否かを判別する第１の判別手段と、予め登録されたＷｅｂページのＵＲＬ毎に、優先順位、アクセス回数、最終アクセス日時、自動ダウンロード日時及び自動ダウンロード周期を記憶するキャッシュテーブルと、前記キャッシュテーブル中のＷｅｂページ毎の最終アクセス日時、自動ダウンロード日時及び自動ダウンロード周期に基づいて、自動ダウンロードすべき状態のＷｅｂページを前記キャッシュテーブルの中から検索するＷｅｂページ検索手段と、今回ダウンロードされたＷｅｂページが、前回ダウンロードしたＷｅｂページと比べて更新されているか否かを検出する更新検出手段と、ダウンロードされたＷｅｂページの情報を記憶するキャッシュメモリと、前記第１の判別手段により前記第１の通信手段が、前記第１の通信網の通信圏内にいると判別された場合、前記第１の通信網を介して前記Ｗｅｂページ検索手段により検索されたＷｅｂページのダウンロードを前記第１の通信手段を用いて行い、前記更新検出手段により更新が確認されたＷｅｂページについて、前記キャッシュメモリの更新を行う第１のＷｅｂページ取得手段と、前記第１のＷｅｂページ取得手段により前記キャッシュメモリの更新が行われた場合、当該Ｗｅｂページの自動ダウンロード日時の更新を行う第１の自動ダウンロード日時更新手段と、を備えたことを特徴とする。
【０００６】
また、携帯端末装置では、前記第２の通信手段が前記第２の通信網の通信圏内にいるか否かを判別する第２の判別手段と、前記第１の判別手段により前記第１の通信手段が、前記第１の通信網の通信圏外にいると判別され、前記第２の判別手段により前記第２の通信手段が、前記第２の通信網の通信圏内にいると判別された場合、予めユーザにより前記第２の通信手段の使用が認められている場合に限り、前記第２の通信網を介して前記Ｗｅｂページ検索手段により検索されたＷｅｂページのダウンロードを前記第２の通信手段を用いて行い、前記更新検出手段により更新が確認されたＷｅｂページについて、前記キャッシュメモリの更新を行う第２のＷｅｂページ取得手段と、前記第２のＷｅｂページ取得手段により前記キャッシュメモリの更新が行われた場合、当該Ｗｅｂページの自動ダウンロード日時の更新を行う第２の自動ダウンロード日時更新手段と、を備えることが好ましい。
【０００７】
また、携帯端末装置では、前記第１又は第２のＷｅｂページ取得手段により前記キャッシュメモリの更新を行う際に、該キャッシュメモリの残容量を検出し、前記キャッシュメモリの更新を行うための容量が不足していないか否かを検出する第１のキャッシュ容量検出手段と、前記第１のキャッシュ容量検出手段により前記キャッシュメモリの容量が不足していることが検出された場合、前記キャッシュテーブルを参照し、最終アクセス日時が所定時間以上経過しているＷｅｂページを検出し、該Ｗｅｂページのキャッシュ情報及びキャッシュテーブル情報を削除し、前記キャッシュテーブル中に前記最終アクセス日時が所定時間以上経過しているＷｅｂページが検出されなかった場合には、優先順位の最も低いＷｅｂページのキャッシュ情報及びキャッシュテーブル情報を削除する第１のキャッシュ確保手段と、を備えることが好ましい。
【０００８】
また、携帯端末装置では、前記更新検出手段により当該Ｗｅｂページの更新が検出されなかった場合、該Ｗｅｂページの自動ダウンロード周期をΔＴだけ長く再設定するダウンロード周期延長手段と、前記更新検出手段により当該Ｗｅｂページの更新が検出された場合、ＨＴＴＰのレスポンスヘッダ（Ｌａｓｔ−Ｍｏｄｉｆｉｅｄ）と現在時刻との差を算出し、算出結果が所定時間以上であった場合に、該Ｗｅｂページの自動ダウンロード周期をΔＴだけ短く再設定するダウンロード周期短縮手段と、を備えることが好ましい。
【０００９】
また、携帯端末装置では、前記更新検出手段により当該Ｗｅｂページの更新が検出されなかった場合、該Ｗｅｂページの自動ダウンロード周期をΔＴだけ長く再設定するダウンロード周期延長手段と、前記更新検出手段により当該Ｗｅｂページの更新が検出された場合、ＨＴＴＰのレスポンスヘッダ（Ｌａｓｔ−Ｍｏｄｉｆｉｅｄ）が存在するか否かを判断し、当該ＨＴＴＰのレスポンスヘッダ（Ｌａｓｔ−Ｍｏｄｉｆｉｅｄ）が存在しない場合、該Ｗｅｂページの自動ダウンロード周期をΔＴだけ短く再設定するダウンロード周期短縮手段と、を備えることが好ましい。
【００１０】
また、携帯端末装置では、ユーザによるＷｅｂページのアクセス要求が有ったことを検出するアクセス検出手段と、前記アクセス検出手段によりユーザによるＷｅｂページのアクセス要求が検出され、前記第１の判別手段により前記第１の通信手段が、前記第１の通信網の通信圏内にいると判別された場合、前記第１の通信網を介してＷｅｂページのダウンロードを行い、前記更新検出手段により更新が確認されたＷｅｂページについて、前記キャッシュメモリの更新を行う第３のＷｅｂページ取得手段と、前記第３のＷｅｂページ取得手段により前記キャッシュメモリの更新が行われた場合、前記アクセス回数及び最終アクセス日時の更新を行う第１のアクセス更新手段と、前記ダウンロードされたＷｅｂページの表示を行う第１のＷｅｂページ表示手段と、を備えることが好ましい。
【００１１】
また、携帯端末装置では、前記第１の判別手段により前記第１の通信手段が、前記第１の通信網の通信圏外にいると判別され、前記第２の判別手段により前記第２の通信手段が、前記第２の通信網の通信圏内にいると判別された場合、キャッシュされている当該Ｗｅｂページと共に更新を促す画面表示を行う第２のＷｅｂページ表示手段と、前記第２のＷｅｂページ表示手段により表示された内容に基づいて、ユーザから前記更新の要求が有ったか否かを検出する更新要求検出手段と、前記更新要求検出手段によりユーザから当該Ｗｅｂページの更新要求が有ったことが検出された場合、前記第２の通信網を介して当該Ｗｅｂページのダウンロードを行い、前記更新検出手段により更新が確認されたＷｅｂページについて、前記キャッシュメモリの更新を行う第４のＷｅｂページ取得手段と、前記第４のＷｅｂページ取得手段により前記キャッシュメモリの更新が行われた場合、前記アクセス回数及び最終アクセス日時の更新を行う第２のアクセス更新手段と、を備えることが好ましい。
【００１２】
また、携帯端末装置では、前記第１の判別手段により前記第１の通信手段が、前記第１の通信網の通信圏外にいると判別され、前記第２の判別手段により前記第２の通信手段が、前記第２の通信網の通信圏外にいると判別された場合、キャッシュされている当該Ｗｅｂページの表示を行う第３のＷｅｂページ表示手段と、を備えることが好ましい。
【００１３】
また、携帯端末装置では、前記第３又は第４のＷｅｂページ取得手段により前記キャッシュメモリの更新を行う際に、該キャッシュメモリの残容量を検出し、前記キャッシュメモリの更新を行うための容量が不足していないか否かを検出する第２のキャッシュ容量検出手段と、前記第２のキャッシュ容量検出手段により前記キャッシュメモリの容量が不足していることが検出された場合、前記キャッシュテーブルを参照し、最終アクセス日時が所定時間以上経過しているＷｅｂページを検出し、該Ｗｅｂページのキャッシュ情報及びキャッシュテーブル情報を削除し、前記キャッシュテーブル中に前記最終アクセス日時が所定時間以上経過しているＷｅｂページが検出されなかった場合には、優先順位の最も低いＷｅｂページのキャッシュ情報及びキャッシュテーブル情報を削除する第２のキャッシュ確保手段と、を備えることが好ましい。
【発明の効果】
【００１４】
本発明によれば、低コストでＷｅｂページを閲覧することができる携帯端末装置を提供できる。
【発明を実施するための最良の形態】
【００１５】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１６】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１７】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１８】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１９】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００２０】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２１】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２２】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２３】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２４】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２６】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２７】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００２８】
次に、図４の機能ブロック図を参照して、携帯電話機１の各機能について説明する。携帯電話機１は、図４に示すように、第１の通信規格に準拠する通信網である無線ＬＡＮ通信網と通信可能な第１の通信部（第１の通信手段）１００と、第２の通信規格に準拠する通信網である移動体通信網と通信可能な第２の通信部（第２の通信手段）２００と、所定の処理を行う処理部２０１とを備えている。また、バッテリ９０は、第１の通信部１００と、第２の通信部２００と、処理部２０１に対して電源を供給している。また、ＣＰＵ２０２及びＷｅｂページダウンロード処理用制御マイコン３００は、連携して、第１の通信部１００と、第２の通信部２００と、処理部２０１に対して所定の制御を行う。
【００２９】
第１の通信部１００は、所定の通信方式（無線ＬＡＮ、例えば、ＩＥＥＥ８０２．１１等に準拠）に基づいて、基地局を介して他の通信端末装置との間で電話による通信やメールによる通信や、インターネット上から所定のＵＲＬを有するＷｅｂページのダウンロード等を行うアンテナ部８１と、送信回路と受信回路（図示せず）とにより構成される通信処理部１０１と、を備える。
【００３０】
また、第２の通信部２００は、所定の通信方式（移動体通信網、例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局を介して他の通信端末装置との間で電話による通信やメールによる通信や、インターネット上から所定のＵＲＬを有するＷｅｂページのダウンロード等を行うアンテナ部８０（メインアンテナ）と、送信回路と受信回路（図示せず）とにより構成される通信処理部２０３と、を備える。
【００３１】
また、処理部２０１は、操作キー群１１と、マイク１２と、ディスプレイ３０と、音声出力部３１と、所定のデータが格納されているメモリ２０４と、所定の音処理を行う音処理部２０５と、所定の画像処理を行う画像処理部２０６と、被写体を撮像するカメラ部２３と、着信音等が出力されるスピーカ２０７等を備えている。
【００３２】
次に、本発明の２系統のネットワーク（無線ＬＡＮ通信網と移動体通信網）が使用可能な携帯電話機１におけるＷｅｂページのダウンロード制御を行うＷｅｂページダウンロード処理用制御マイコン３００の構成について説明する。
【００３３】
図５に示すように、Ｗｅｂページダウンロード処理用制御マイコン３００は、少なくとも制御部３０１と、演算部３０２と、メモリ部（キャッシュテーブルを含むキャッシュメモリ３０３、ＲＯＭ３０４及びワーク用ＲＡＭ３０５）と、入出力手段（図示せず）とを有し、演算部３０２が前述または後述の各種機能手段として機能する。
【００３４】
演算部３０２は、機能手段として、第１の判別手段３０６、第２の判別手段３０７、Ｗｅｂページ検索手段３０８、更新検出手段３０９、第１のＷｅｂページ取得手段３１０、第２のＷｅｂページ取得手段３１１、第３のＷｅｂページ取得手段３１２、第４のＷｅｂページ取得手段３１３、第１の自動ダウンロード日時更新手段３１４、第２の自動ダウンロード日時更新手段３１５、第１のキャッシュ容量検出手段３１６、第２のキャッシュ容量検出手段３１７、第１のキャッシュ確保手段３１８、第２のキャッシュ確保手段３１９、ダウンロード周期延長手段３２０、ダウンロード周期短縮手段３２１、アクセス検出手段３２２、更新要求検出手段３２３、第１のアクセス更新手段３２４、第２のアクセス更新手段３２５、第１のＷｅｂページ表示手段３２６、第２のＷｅｂページ表示手段３２７、第３のＷｅｂページ表示手段３２８を備える。
【００３５】
制御部３０１は、ＲＯＭ３０４に記憶されたプログラムに従って、Ｗｅｂページダウンロード処理用制御マイコン３００全体を制御する。キャッシュメモリ３０３は、後述のキャッシュテーブル及びダウンロードされたＷｅｂページを記憶する。ＲＯＭ３０４は、Ｗｅｂページダウンロード処理を行うためのプログラム等を記憶している。ワーク用ＲＡＭ３０５は、制御部３０１や演算部３０２がプログラム実行時に一時的に使用する記憶領域である。
【００３６】
第１の判別手段３０６は、第１の通信手段（第１の通信部１００）が第１の通信網の通信圏内にいるか否かを、例えば電界強度等から判別する。第２の判別手段３０７は、第２の通信手段（第２の通信部２００）が第２の通信網の通信圏内にいるか否かを、例えば電界強度等から判別する。
【００３７】
キャッシュメモリ３０３に含まれるキャッシュテーブルは、予め登録されたＷｅｂページのＵＲＬ毎に、優先順位、アクセス回数、最終アクセス日時、自動ダウンロード日時及び自動ダウンロード周期を記憶する（後述）。
【００３８】
Ｗｅｂページ検索手段３０８は、キャッシュテーブル中のＷｅｂページ毎の最終アクセス日時、自動ダウンロード日時及び自動ダウンロード周期に基づいて、自動ダウンロードすべき状態のＷｅｂページを前記キャッシュテーブルの中から検索する。
【００３９】
更新検出手段３０９は、今回ダウンロードしようとするＷｅｂページが、前回ダウンロードしたＷｅｂページと比べて更新されているか否かを確認する。この確認は、更新検出手段３０９が、Ｇｅｔリクエストの、＜Ｉｆ−Ｍｏｄｉｆｉｅｄ−Ｓｉｎｃｅ＞を相手サーバに送信し、その返信として受信した、更新の有無についての情報に基づいて確認する。
【００４０】
第１のＷｅｂページ取得手段３１０は、第１の判別手段３０６により第１の通信手段が、第１の通信網の通信圏内にいると判別された場合、第１の通信網を介してＷｅｂページ検索手段３０８により検索されたＷｅｂページのダウンロードを第１の通信手段を用いて行い、更新検出手段３０９により更新が確認されたＷｅｂページについて、前記キャッシュメモリへの書き込み（更新）を行う。第２のＷｅｂページ取得手段３１１は、第１の判別手段３０６により第１の通信手段が、第１の通信網の通信圏外にいると判別され、第２の判別手段３０７により第２の通信手段が、第２の通信網の通信圏内にいると判別された場合、予めユーザにより第２の通信手段の使用が認められている場合に限り、第２の通信網を介してＷｅｂページ検索手段３０８により検索されたＷｅｂページのダウンロードを第２の通信手段を用いて行い、更新検出手段３０９により更新が確認されたＷｅｂページについて、キャッシュメモリ３０３への書き込み（更新）を行う。
【００４１】
第３のＷｅｂページ取得手段３１２は、アクセス検出手段３２２によりユーザによるＷｅｂページのアクセス要求が検出され、第１の判別手段３０６により第１の通信手段が、第１の通信網の通信圏内にいると判別された場合、第１の通信網を介してＷｅｂページのダウンロードを行い、更新検出手段３０９により更新が確認されたＷｅｂページについて、キャッシュメモリ３０３への書き込み（更新）を行う。第４のＷｅｂページ取得手段３１３は、更新要求検出手段３２３によりユーザから当該Ｗｅｂページの更新要求が有ったことが検出された場合、第２の通信網を介して当該Ｗｅｂページのダウンロードを行い、更新検出手段３０９により更新が確認されたＷｅｂページについて、キャッシュメモリ３０３への書き込み（更新）を行う。
【００４２】
第１の自動ダウンロード日時更新手段３１４は、第１のＷｅｂページ取得手段３１０によりキャッシュメモリ３０３の更新が行われた場合、当該Ｗｅｂページの自動ダウンロード日時の更新を行う。第２の自動ダウンロード日時更新手段３１５は、第２のＷｅｂページ取得手段３１１によりキャッシュメモリ３０３の更新が行われた場合、当該Ｗｅｂページの自動ダウンロード日時の更新を行う。
【００４３】
第１のキャッシュ容量検出手段３１６は、第１又は第２のＷｅｂページ取得手段３１０，３１１によりキャッシュメモリ３０３の更新を行う際に、該キャッシュメモリ３０３の残容量を検出し、キャッシュメモリ３０３の更新を行うための容量が不足していないか否かを検出する。第２のキャッシュ容量検出手段３１７は、第３又は第４のＷｅｂページ取得手段３１２，３１３によりキャッシュメモリ３０３の更新を行う際に、該キャッシュメモリ３０３の残容量を検出し、キャッシュメモリ３０３の更新を行うための容量が不足していないか否かを検出する。
【００４４】
第１のキャッシュ確保手段３１８は、第１のキャッシュ容量検出手段３１６によりキャッシュメモリ３０３の容量が不足していることが検出された場合、キャッシュテーブルを参照し、最終アクセス日時が所定時間以上経過しているＷｅｂページを検出し、該Ｗｅｂページのキャッシュ情報及びキャッシュテーブル情報を削除し、キャッシュテーブル中に最終アクセス日時が所定時間以上経過しているＷｅｂページが検出されなかった場合には、優先順位の最も低いＷｅｂページのキャッシュ情報及びキャッシュテーブル情報を削除する。第２のキャッシュ確保手段３１９は、第２のキャッシュ容量検出手段３１７によりキャッシュメモリ３０３の容量が不足していることが検出された場合、キャッシュテーブルを参照し、最終アクセス日時が所定時間以上経過しているＷｅｂページを検出し、該Ｗｅｂページのキャッシュ情報及びキャッシュテーブル情報を削除し、キャッシュテーブル中に最終アクセス日時が所定時間以上経過しているＷｅｂページが検出されなかった場合には、優先順位の最も低いＷｅｂページのキャッシュ情報及びキャッシュテーブル情報を削除する。
【００４５】
ダウンロード周期延長手段３２０は、更新検出手段３０９により当該Ｗｅｂページの更新が検出されなかった場合、該Ｗｅｂページの自動ダウンロード周期をΔＴだけ長くなるように再設定する。ダウンロード周期短縮手段３２１は、更新検出手段３０９により当該Ｗｅｂページの更新が検出された場合、ＨＴＴＰのレスポンスヘッダ（Ｌａｓｔ−Ｍｏｄｉｆｉｅｄ）と現在時刻との差を算出し、算出結果が所定時間以上であった場合に、該Ｗｅｂページの自動ダウンロード周期をΔＴだけ短くなるように再設定する。また、ダウンロード周期短縮手段３２１は、ＨＴＴＰのレスポンスヘッダ＜Ｌａｓｔ−Ｍｏｄｉｆｉｅｄ＞が存在しなかった場合は、更新されたＷｅｂページの自動ダウンロード周期をΔＴだけ短くなるように再設定する。
【００４６】
アクセス検出手段３２２は、ユーザによるＷｅｂページのアクセス要求が有ったことを検出する。更新要求検出手段３２３は、第２のＷｅｂページ表示手段３２６により表示された内容に基づいて、ユーザから更新の要求が有ったか否かを検出する。
【００４７】
第１のアクセス更新手段３２４は、第３のＷｅｂページ取得手段３１２によりキャッシュメモリ３０３の更新が行われた場合、アクセス回数及び最終アクセス日時の更新を行う。第２のアクセス更新手段３２５は、第４のＷｅｂページ取得手段３１３によりキャッシュメモリ３０３の更新が行われた場合、アクセス回数及び最終アクセス日時の更新を行う。
【００４８】
第１のＷｅｂページ表示手段３２６は、ダウンロードされたＷｅｂページの表示出力をディスプレイ３０に対して出力する。第２のＷｅｂページ表示手段３２７は、第１の判別手段３０６により第１の通信手段が、第１の通信網の通信圏外にいると判別され、第２の判別手段３０７により第２の通信手段が、第２の通信網の通信圏内にいると判別された場合、キャッシュされている当該Ｗｅｂページと共に更新を促す画面表示を行う。第３のＷｅｂページ表示手段３２８は、第１の判別手段３０６により第１の通信手段が、第１の通信網の通信圏外にいると判別され、第２の判別手段３０７により第２の通信手段が、第２の通信網の通信圏外にいると判別された場合、キャッシュされている当該Ｗｅｂページの表示を行う。
【００４９】
図６に本発明の基本動作を示す、無線ＬＡＮ通信網・移動体通信網の状態によるＷｅｂページダウンロードのラダーチャートを示す。
【００５０】
図６に示すように、無線ＬＡＮ通信網との接続が可能な場合、携帯電話機（携帯端末装置）１は、各Ｗｅｂページによって異なる自動ダウンロード周期毎にもしくはユーザ操作により、Ｗｅｂページのデータ要求を無線ＬＡＮ通信網に対して行い、無線ＬＡＮ通信網からＷｅｂページデータをダウンロードする。
【００５１】
無線ＬＡＮ通信網との接続が不可で、移動体通信網との接続が可能な場合、携帯端末装置は、携帯端末装置内のキャッシュメモリに対してＷｅｂページのデータ要求を行い、キャッシュメモリに記憶された当該Ｗｅｂページデータを取得する。そして、表示されたＷｅｂページが、自動ダウンロード周期を経過し、自動もしくはユーザ操作によりＷｅｂページの更新動作が行われた場合には、Ｗｅｂページのデータ要求を移動体通信網に対して行い、移動体通信網からＷｅｂページデータをダウンロードする。
【００５２】
無線ＬＡＮ通信網及び移動体通信網との接続が不可の場合には、キャッシュメモリ内に記憶されたＷｅｂページデータの表示のみを行う。
【００５３】
次に、キャッシュテーブルの構成例を、図７を参照して説明する。既に述べたとおり、キャッシュテーブルは、キャッシュメモリ３０３内に設けられている。そして、ＷｅｂページのＵＲＬ毎に（ユーザ操作によるＷｅｂページの）アクセス回数、（ユーザ操作によるＷｅｂページの）最終アクセス日時、自動ダウンロード日時、自動ダウンロード周期及び、優先順位（ｎは自然数）が格納されている。
【００５４】
尚、優先順位は、アクセス回数が多いほど高く、アクセス回数が同一の場合には、最終アクセス日時の新しい方が高くなるように決定される。
【００５５】
次に、図８〜図１１のフローチャートを参照して、本発明のＷｅｂページダウンロード処理の詳細について説明する。
【００５６】
図８は、Ｗｅｂページの自動更新処理動作を示すフローチャートであり、図９はキャッシュ確保処理動作を示すフローチャートであり、図１０は自動ダウンロード周期更新処理動作を示すフローチャートであり、図１１はユーザアクセスによるＷｅｂページ表示処理動作を示すフローチャートである。ここで、図８のＷｅｂページの自動更新処理動作を示すフローチャートと図１１のユーザアクセスによるＷｅｂページ表示処理動作を示すフローチャートは、Ｗｅｂページダウンロード処理用制御マイコン３００内において平行して動作する（マルチタスク）ものであり、参照するキャッシュテーブルやＷｅｂページデータが格納されるキャッシュメモリ等は、同一のものを用いている。
【００５７】
先ず、図８のＷｅｂページ自動更新処理フローチャートについて説明する。先ず最初に、携帯電話機（携帯端末装置）１は、キャッシュテーブルを参照して、最終アクセス日時又は自動ダウンロード日時の内の最新の日時から、現在の日時までの経過時間が、自動ダウンロード周期（時間）以上経過しているＷｅｂページの中から、最も優先順位の高いＷｅｂページを検索する（ステップＳ１）。
【００５８】
そして、該当するＷｅｂページが存在するか否かを調べる（ステップＳ２）。該当するＷｅｂページが存在しない場合には、所定時間ウェイトした後（ステップＳ１２）、処理をステップＳ１に移す。
【００５９】
該当するＷｅｂページが存在する場合には、処理をステップＳ３に移し、現在、無線ＬＡＮ通信網の通信圏内にいるか通信圏外にいるかを調べる。通信圏外にいると判断された場合には、処理をステップＳ１３に移し、通信圏内にいると判断された場合には処理をステップＳ４に移す。ステップＳ４に移行すると、ダウンロードしようとするＷｅｂページが前回ダウンロードされたＷｅｂページと比べて変更（更新）されているか否かを調べる。更新されていないと判断された場合には、処理ステップＳ１１に移し、更新されていると判断された場合には処理をステップＳ５に移す。
【００６０】
ステップＳ５では、無線ＬＡＮ通信網を利用して当該Ｗｅｂページのダウンロードを行い、処理をステップＳ６に移す。ステップＳ６では、ダウンロードされた当該Ｗｅｂページをキャッシュメモリ３０３に書き込んだ（更新した）場合、キャッシュメモリ３０３が不足するか否かを調べる。
【００６１】
ステップＳ６にて、キャッシュ不足は発生しないと判断された場合には、処理をステップＳ８に移し、キャッシュ不足が発生すると判断された場合には、処理をステップＳ７に移して、キャッシュ確保処理（後述）を行い処理をステップＳ８に移す。
【００６２】
ステップＳ８に移行すると、キャッシュメモリの更新を行い、自動ダウンロード日時の更新を行い（ステップＳ９）、キャッシュテーブルのソート（優先順位の変更に伴う再配置）を行い（ステップＳ１０）、自動ダウンロード周期の更新処理（後述）を行って（ステップＳ１１）処理をステップＳ１に移す。
【００６３】
一方、ステップＳ１３では、現在、移動体通信網の通信圏内にいるか否かが調べられ、通信圏外と判断された場合には、所定時間ウェイトした後（ステップＳ１４）処理をステップＳ１に移し、通信圏内であると判断された場合には、処理をステップＳ１５に移す。
【００６４】
ステップＳ１５に移行すると、予めユーザにより、移動体通信網からのＷｅｂページのダウンロードが禁止されているか否かが調べられ、禁止されている場合には、所定時間ウェイトした後（ステップＳ１６）、ステップＳ１へ処理を移し、禁止されていないと判断された場合には、処理をステップＳ４に移し、移動体通信網を利用して、Ｗｅｂページのダウンロードを行う。
【００６５】
次に、図９のキャッシュ確保処理動作を示すフローチャートを参照して、ステップＳ７のキャッシュ確保処理について説明する。
【００６６】
先ず、ステップＳ２０において、キャッシュテーブルが参照され、最終アクセス日時が所定期間以上経過しているＷｅｂページが存在するか否かが調べられる。存在しないと判断された場合には、処理をステップＳ２１に移し、優先順位が最も低いＷｅｂページのキャッシュ情報（ダウンロードされたＷｅｂページのデータ）及びキャッシュテーブル情報の削除を行い処理を終了する。
【００６７】
一方、ステップＳ２０にて、最終アクセス日時が所定期間以上経過しているＷｅｂページが存在すると判断された場合には、処理をステップＳ２２に移し、最終アクセス日時が所定期間以上経過しているＷｅｂページが複数存在するか否かが調べられ、１つしか存在しないと判断された場合には処理をステップＳ２４に移し、複数存在すると判断された場合には処理をステップＳ２３に移し最も優先順位の低いＷｅｂページの検索が行われ、処理をステップＳ２４に移す。
【００６８】
ステップＳ２４に移行すると、該当するＷｅｂページのキャッシュ情報及びキャッシュテーブル情報の削除を行い処理を終了する。
【００６９】
次に、図１０の自動ダウンロード周期更新処理動作を示すフローチャートを参照し、ステップＳ１１の自動ダウンロード周期更新処理について説明する。
【００７０】
先ずステップＳ３０において、該当Ｗｅｂページが更新されているか否かが調べられ、更新されていると判断された場合には処理をステップＳ３１に移し、更新されていないと判断された場合には処理をステップＳ３５に移して、自動ダウンロード周期がΔＴだけ長くなるよう自動ダウンロード周期を更新（但し、自動ダウンロード周期は所定の上限値以下とする）し処理を終了する。
【００７１】
ステップＳ３１では、ＨＴＴＰのレスポンスヘッダ（Ｌａｓｔ−Ｍｏｄｉｆｉｅｄ）が存在するか否かを判断する。そして、ＨＴＴＰのレスポンスヘッダ＜Ｌａｓｔ−Ｍｏｄｉｆｉｅｄ＞が存在しないと判断された場合には処理をステップＳ３４に移す。また、ＨＴＴＰのレスポンスヘッダ＜Ｌａｓｔ−Ｍｏｄｉｆｉｅｄ＞が存在した場合には処理をステップＳ３２に移す。ステップＳ３２では、ＨＴＴＰのレスポンスヘッダ＜Ｌａｓｔ−Ｍｏｄｉｆｉｅｄ＞と現在時刻との差を算出し、ステップＳ３３にて、算出結果が所定時間以上であるか否かが調べられる。算出結果が所定時間以上でないと判断された場合には処理を終了し、算出結果が所定時間以上であると判断された場合には、処理をステップＳ３４に移す。ステップＳ３４では、自動ダウンロード周期がΔＴだけ短くなるよう自動ダウンロード周期更新（但し、自動ダウンロード周期は所定の下限値以上とする）し処理を終了する。
【００７２】
次に、図１１のユーザアクセスによるＷｅｂページ表示処理動作を示すフローチャートを参照して、ユーザアクセスによるＷｅｂページ表示処理について説明する。
【００７３】
先ず、ステップＳ４０にて、ユーザによるＷｅｂページのアクセス要求が有ったか否かが調べられる。アクセス要求が無かったと判断された場合には、ステップＳ４０に戻り、アクセス要求が有ったと判断された場合には、処理をステップＳ４１へ移す。
【００７４】
ステップＳ４１へ移行すると、現在、無線ＬＡＮ通信網の通信圏内にいるか通信圏外にいるかを調べる。通信圏外にいると判断された場合には、処理をステップＳ５２に移し、通信圏内にいると判断された場合には処理をステップＳ４２に移す。ステップＳ４２に移行すると、ダウンロードしようとするＷｅｂページが前回ダウンロードされたＷｅｂページと比べて変更（更新）されているか否かを調べる。更新されていないと判断された場合には、処理をステップＳ５１に移し、更新されていると判断された場合には、処理をステップＳ４３に移す。
【００７５】
ステップＳ４３では、無線ＬＡＮ通信網を利用して当該Ｗｅｂページのダウンロードを行い、処理をステップＳ４４に移す。ステップＳ４４では、ダウンロードされた当該Ｗｅｂページをキャッシュメモリ３０３に書き込んだ(更新した)場合、キャッシュメモリ３０３が不足するか否かを調べる。
【００７６】
ステップＳ４４にて、キャッシュ不足は発生しないと判断された場合には、処理をステップＳ４６に移し、キャッシュ不足が発生すると判断された場合には、処理をステップＳ４５に移して、キャッシュ確保処理（図９のフローチャートにて説明済み）を行い処理をステップＳ４６に移す。
【００７７】
ステップＳ４６に移行すると、キャッシュメモリの更新を行い、処理をステップＳ４７に移す。
【００７８】
ステップＳ４７に移行すると、更新するＷｅｂページのＵＲＬがキャッシュテーブルに存在するか否かが調べられ、存在すると判断された場合には処理をステップＳ４９に移し、存在しないと判断された場合にはキャッシュテーブルにＵＲＬの追加を行い（ステップＳ４８）、処理をステップＳ４９に移す。
【００７９】
ステップＳ４９に移行すると、キャッシュテーブル上の当該Ｗｅｂページにおけるアクセス回数及び最終アクセス日時の更新を行い、キャッシュテーブルのソートを行い（ステップＳ５０）、当該Ｗｅｂページをディスプレイ３０に表示し（ステップＳ５１）、ステップＳ４０に戻る。
【００８０】
一方、ステップＳ５２では、現在、移動体通信網の通信圏内にいるか否かが調べられ、通信圏外と判断された場合には、キャッシュされているＷｅｂページをディスプレイ３０に表示し（ステップＳ５３）、処理をステップＳ４０に移し、通信圏内であると判断された場合には、処理をステップＳ５４に移す。
【００８１】
ステップＳ５４に移行すると、キャッシュされているＷｅｂページと共にＷｅｂページの更新（ダウンロード）を促す画面表示を行い、処理をステップＳ５５に移す。
【００８２】
ステップＳ５５に移行すると、ユーザからのＷｅｂページの更新要求が有ったか否かが調べられ、更新要求が無かったと判断された場合には、ステップＳ４０へ処理を移し、更新要求が有ったと判断された場合には、処理をステップＳ４２に移し、移動体通信網を利用して、Ｗｅｂページのダウンロードを行う。
【００８３】
以上、本発明によれば、以下の効果を有する。
【００８４】
移動体通信網と無線ＬＡＮ通信網の異なるネットワークにアクセスできる携帯端末装置で極力無線ＬＡＮ有効時にＷｅｂページのダウンロードをしておくことで高速かつパケット代のコストの削減が可能となる。また、移動体通信網の周波数有効活用にもつながる。さらに、自動ダウンロードする際の周期の調整機能を有することで無駄なネットワークへの接続が削減される。
【００８５】
また、所定のＷｅｂページのダウンロード回数と日時からなるアクセス頻度に基づいて、アクセス頻度の低いＷｅｂページのデータを消去することにより、キャッシュの有効利用を図ることができる。
【００８６】
また、ダウンロードするＷｅｂページに、周期データを付与し、この周期データを更新可能とすることにより、コストパフォーマンスに優れたＷｅｂページのダウンロードが可能となる。
【００８７】
つまり本発明は、定期的に更新されるＷｅｂページ（プログや掲示板など）を無線ＬＡＮ通信網圏内の場合に予め登録されたものやアクセス頻度の高いものを所定の周期毎に自動的に携帯端末装置にダウンロードし、キャッシュメモリに保存しておき、無線ＬＡＮ通信網圏外の場合にはキャッシュメモリに保存されたものを表示するようにし、無線ＬＡＮ通信網圏外の場合で、移動体通信網圏内の場合であって、再ダウンロードが必要な場合には、ユーザ操作によって、もしくは最後に当該Ｗｅｂページをダウンロードしてからの経過時間が、設定した時間を過ぎていたら、移動体通信網を使用してダウンロードするようにすることで、低コストで、且つ、いつでも最新のＷｅｂページを閲覧することが可能な携帯端末装置を提供することができる。
【図面の簡単な説明】
【００８８】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】Ｗｅｂページダウンロード処理用制御マイコンの構成について説明するための図である。
【図６】本発明の基本動作を示す、無線ＬＡＮ通信網・移動体通信網の状態によるＷｅｂページダウンロードのラダーチャートである。
【図７】キャッシュテーブルの一例を示した図である。
【図８】Ｗｅｂページの自動更新処理動作を示すフローチャートである。
【図９】キャッシュ確保処理動作を示すフローチャートである。
【図１０】自動ダウンロード周期更新処理動作を示すフローチャートである。
【図１１】ユーザアクセスによるＷｅｂページ表示処理動作を示すフローチャートである。
【符号の説明】
【００８９】
１  携帯電話機
２  操作部側筐体
２ａ、３ａ  フロントケース
２ｂ、３ｂ  リアケース
３  表示部側筐体
４  連結部
１１  操作キー群
１２  マイク
２３  カメラ部
３０  ディスプレイ
３１  音声出力部
８０，８１  アンテナ
１００  第１の通信部
１０１，２０３  通信処理部
２００  第２の通信部
２０１  処理部
２０２  ＣＰＵ
２０４  メモリ
２０５  音処理部
２０６  画像処理部
２０７  スピーカ
３００  Ｗｅｂページダウンロード処理用制御マイコン
３０１  制御部
３０２  演算部
３０３  キャッシュメモリ（キャッシュテーブル）
３０４  プログラムＲＯＭ
【図１】
2008252376.tif 000003
【図２】
2008252376.tif 000004
【図３】
2008252376.tif 000005
【図４】
2008252376.tif 000006
【図５】
2008252376.tif 000007
【図６】
2008252376.tif 000008
【図７】
2008252376.tif 000009
【図８】
2008252376.tif 000010
【図９】
2008252376.tif 000011
【図１０】
2008252376.tif 000012
【図１１】
2008252376.tif 000013